(57)【特許請求の範囲】
【請求項１】
貫通孔を底部に有する凹部と、前記底部より下側に位置し、角部を有する本体ストッパ凹部と、取付部と、が設けられた装置本体と、
前記装置本体の前記取付部に少なくとも一端部が固定された取付片と、前記取付片の他端部に一端部が結合された第１の連結部と、前記第１の連結部の他端部に一端部が結合された第１の可動片と、前記第１の可動片の他端部に一端部が結合された第２の連結部と、前記第２の連結部の他端部に一端部が結合された第２の可動片と、前記第２の可動片の他端部に一端部が結合されたストッパ片と、を含む充電端子と、
を備え、
前記ストッパ片と前記第２の可動片との間でなす角が鋭角となるように、前記第２の可動片の他端部と前記ストッパ片の一端部とが結合されている部位である接触端部は、前記貫通孔を介して前記凹部内に突出するように設けられ、前記ストッパ片の他端部は前記本体ストッパ凹部内に突出するように設けられており、
前記凹部内に、接続端子を持つ機器が挿入されて、前記充電端子の前記接触端部が前記機器の前記接続端子に接触することによって、前記第１の連結部を起点として少なくとも前記第２の可動片及び前記ストッパ片が押し下げられて、前記ストッパ片の他端部が前記本体ストッパ凹部の前記角部に当接するまで前記接触端部が前記接続端子を一方の方向に摺動し、
前記角部に当接後、前記第２の連結部を起点として少なくとも前記第２の可動片及び前記ストッパ片が押し下げられ、前記接触端部が前記接続端子を前記一方の方向と反対側の他方の方向に摺動し、
前記充電端子は、前記第２の連結部を支点とする、前記第１の可動片に対する前記第２の可動片の回動動作より、前記第１の連結部を支点とする、前記取付片に対する前記第１の可動片の回動動作が生じやすいように、前記第１の連結部を前記第２の連結部より変形しやすい構造によって形成されたものであることを特徴とする充電装置。
【請求項２】
前記装置本体の前記凹部に前記機器が装着されることにより、前記機器の接続端子により前記充電端子の前記接触端部が押し下げられるとともに、前記充電端子の前記第１の連結部が変形して、前記第１の可動片が前記取付片に対して第１の方向に回動し、
前記ストッパ片の他端部であるストッパ端部が前記装置本体の前記凹部内を移動して、前記角部に当接し、
前記角部を連結部として前記ストッパ片が、前記第１の方向とは逆方向の第２の方向に回動するとともに、前記第２の連結部が変形して、前記第２の可動片が前記第１の可動片に対して前記第２の方向に回動するように構成されていることを特徴とする請求項１記載の充電装置。
【請求項３】
前記充電端子は、前記装置本体の前記凹部に前記機器が装着されることにより、前記充電端子の前記接触端部が前記機器の前記接続端子の表面を摺動しながら往復動作するように構成されており、前記充電端子の前記接触端部が前記機器の前記接続端子の表面を摺動する距離は、前記往復動作における往路の前記距離が復路の前記距離よりも長くなるように設定されていることを特徴とする請求項２記載の充電装置。
【請求項４】
前記充電端子は、少なくとも、前記第１の可動片が、前記取付片に対して鈍角を有して延伸し、前記ストッパ片が、前記第２の可動片に対して鋭角を有して延伸するように設けられていることを特徴とする請求項１乃至３のいずれかに記載の充電装置。
【請求項５】
前記充電端子はコイルバネにより構成され、前記第１の連結部は第２の連結部より、コイルバネの巻数が少ない構成及びコイルバネの直径が大きい構成の少なくともいずれか一方であることを特徴とする請求項１乃至４のいずれかに記載の充電装置。
【請求項６】
前記充電端子は板バネにより構成され、前記第１の連結部の幅は第２の連結部の幅より、狭い構造及び板厚が薄い構造の少なくともいずれか一方であることを特徴とする請求項１乃至４のいずれかに記載の充電装置。
【請求項７】
前記充電端子は均一なバネ性を有する線材又は板材からなり、前記第１の連結部及び前記第２の連結部は、前記線材又は前記板材が所定の角度で曲がっていることを特徴とする請求項１乃至４のいずれかに記載の充電装置。
【請求項８】
前記装置本体に設けられた前記凹部は、少なくとも前記角部となる角部を構成する壁面相互の角度が直角または鋭角に設定されており、
前記充電端子は、前記ストッパ片の延在方向とは異なる方向に突出する外れ止めが、前記ストッパ片の他端部であるストッパ端部に設けられていることを特徴とする請求項２乃至７のいずれかに記載の充電装置。
【請求項９】
貫通孔を底部に有する凹部と、前記底部より下側に位置し、角部を有する本体ストッパ凹部と、取付部と、が設けられた装置本体の前記凹部内に、接続端子を持つ機器が挿入され、
前記装置本体の前記取付部に少なくとも一端部が固定された取付片と、前記取付片の他端部に一端部が結合された第１の連結部と、前記第１の連結部の他端部に一端部が結合された第１の可動片と、前記第１の可動片の他端部に一端部が結合された第２の連結部と、
前記第２の連結部の他端部に一端部が結合された第２の可動片と、前記第２の可動片の他端部に一端部が結合されたストッパ片と、を含む充電端子と、を備え、
前記ストッパ片と前記第２の可動片との間でなす角が鋭角となるように、前記第２の可動片の他端部と前記ストッパ片の一端部とが結合されている部位である接触端部は、前記貫通孔を介して前記凹部内に突出するように設けられ、前記ストッパ片の他端部は前記本体ストッパ凹部内に突出するように設けられている前記充電端子の前記接触端部が前記機器の前記接続端子に接触することによって、前記第１の連結部を起点として少なくとも前記第２の可動片及び前記ストッパ片が押し下げられて、前記ストッパ片の他端部が前記本体ストッパ凹部の前記角部に当接するまで前記接触端部が前記接続端子を一方の方向に摺動し、
前記角部に当接後、前記第２の連結部を起点として少なくとも前記第２の可動片及び前記ストッパ片が押し下げられ、前記接触端部が前記接続端子を前記一方の方向と反対側の他方の方向に摺動し、
前記充電端子は、前記第２の連結部を支点とする、前記第１の可動片に対する前記第２の可動片の回動動作より、前記第１の連結部を支点とする、前記取付片に対する前記第１の可動片の回動動作が生じやすいように、前記第１の連結部を前記第２の連結部より変形しやすい構造によって形成されたものであることを特徴とするクリーニング方法。
【請求項１０】
前記装置本体の前記凹部内に前記機器が挿入されることにより、
前記充電端子の前記接触端部が、前記機器の接続端子により押し下げられると共に、前記充電端子の前記第１の連結部が変形して、前記第１の可動片が前記取付片に対して第１の方向に回動し、
前記本体ストッパ凹部内を、前記ストッパ片の他端部であるストッパ端部が移動して前記角部に当接し、
前記角部を連結部として前記ストッパ片が、前記第１の方向とは逆方向の第２の方向に回動すると共に、前記第２の連結部が変形して、前記第２の可動片が前記第１の可動片に対して前記第２の方向に回動することを特徴とする請求項９記載のクリーニング方法。
【請求項１１】
前記装置本体の前記凹部に前記機器が装着されることにより、前記充電端子の前記接触端部が前記機器の前記接続端子の表面を摺動しながら往復動作し、
前記往復動作における往路の摺動距離が復路の前記摺動距離よりも長くなるように設定されていることを特徴とする請求項１０記載のクリーニング方法。
【発明の詳細な説明】
【技術分野】
【０００１】
本発明は、充電装置及びクリーニング方法に関し、特に、携帯端末などの電子機器を充電するための充電装置、及び、充電接点となる端子のクリーニング方法に関する。
【背景技術】
【０００２】
一般に普及しているコードレス電話機や携帯電話機などの可搬型の電子機器は、充電可能な二次電池（充電池）を内蔵し、当該二次電池からの電力によって動作するように構成されている。このような電子機器は、必要に応じて、専用の充電装置を介して、家庭用のコンセントなどから当該二次電池に充電が行われる。この種の従来の充電装置としては、例えば特許文献１、２に記載されているように、装置本体に設けられた電子機器装着用の凹部内や載置面に貫通孔を有し、当該貫通孔を介して充電端子が上下動可能なように突出して設けられたものが知られている。
【０００３】
ここで、特許文献１、２に記載された充電装置においては、装置本体に電子機器が装着又は載置されていない状態では、充電端子が上記貫通孔内に収納され、電子機器が装着又は載置されることにより、充電端子が上記貫通孔を介して、装置本体の凹部内や載置面から突出して、電子機器の充電用の接続端子に電気的に接続されるように構成されている。また、特許文献１においては、充電装置への電子機器の装着時に、充電端子をクリーニング部材によりセルフクリーニングする構造が開示されている。
【０００４】
ところで、一般に、電子機器を充電装置に装着して、内蔵する二次電池を充電する構造を有する電子機器システムにおいては、当該電子機器が充電装置に装着されていない状態で、充電装置の凹部内や載置面に埃等が溜まりやすく、また、湿気等の周囲の環境の影響を受けやすいため、露出した充電端子の表面に汚れや絶縁性の酸化被膜が生じることが知られている。一方、電子機器側の充電用の接続端子においても、露出した状態のものが多く、使用者の皮脂や埃などの汚れや、水や湿気等の影響を受けやすい。そのため、このような汚れや湿気等に起因して充電端子と接続端子の接触不良が生じやすくなり、二次電池の充電動作が良好に行われなくなるという問題を有している。
これに対して、上述した特許文献１、２に開示された構造を有する充電装置によれば、このような問題が解決されることが記載されている。
【先行技術文献】
【特許文献】
【０００５】
【特許文献１】特開平９−０１７４５６号公報
【特許文献２】特開２００５−１１７７０３号公報
【発明の概要】
【発明が解決しようとする課題】
【０００６】
上述した特許文献１、２に記載された充電装置によれば、汚れや湿気等の影響を抑制して、充電装置の充電端子と電子機器側の接触端子との接触不良を防止し良好な充電動作を実現することができるが、次のような問題点を有している。すなわち、上述した特許文献１、２に記載された充電装置の構成においては、充電端子に加え、当該充電端子を、装置本体の凹部内や載置面から突出させたり、又は、収納させるためにスプリングやコイルバネ、移動プレートやスイングボタン、クリーニング部材等の多くの部品や部材を必要とする。さらに、充電端子を突出、収納させるための動作機構も複雑になる。そのため、製造工数が煩雑かつ増加して、製造コストが増大するとともに、充電端子を突出又は収納させるための動作不具合も生じやすくなるという問題を有している。
【０００７】
そこで、本発明は、上述した問題点に鑑み、部品点数を削減した簡易な構成及び簡易な動作機構を有する充電端子を備えることにより、製造コストを削減しつつ、充電端子の動作不具合の発生を抑制して、良好な充電動作を実現することができる充電装置、及び、充電接点となる端子のクリーニング方法を提供することを目的とする。
【課題を解決するための手段】
【０００８】
本発明に係る充電装置は、
貫通孔を底部に有する凹部と、前記底部より下側に位置し、角部を有する本体ストッパ凹部と、取付部と、が設けられた装置本体と、
前記装置本体の前記取付部に少なくとも一端部が固定された取付片と、前記取付片の他端部に一端部が結合された第１の連結部と、前記第１の連結部の他端部に一端部が結合された第１の可動片と、前記第１の可動片の他端部に一端部が結合された第２の連結部と、
前記第２の連結部の他端部に一端部が結合された第２の可動片と、前記第２の可動片の他端部に一端部が結合されたストッパ片と、を含む充電端子と、
を備え、
前記ストッパ片と前記第２の可動片との間でなす角が鋭角となるように、前記第２の可動片の他端部と前記ストッパ片の一端部とが結合されている部位である接触端部は、前記貫通孔を介して前記凹部内に突出するように設けられ、前記ストッパ片の他端部は前記本体ストッパ凹部内に突出するように設けられており、
前記凹部内に、接続端子を持つ機器が挿入されて、前記充電端子の前記接触端部が前記機器の前記接続端子に接触することによって、前記第１の連結部を起点として少なくとも前記第２の可動片及び前記ストッパ片が押し下げられて、前記ストッパ片の他端部が前記本体ストッパ凹部の前記角部に当接するまで前記接触端部が前記接続端子を一方の方向に摺動し、
前記角部に当接後、前記第２の連結部を起点として少なくとも前記第２の可動片及び前記ストッパ片が押し下げられ、前記接触端部が前記接続端子を前記一方の方向と反対側の他方の方向に摺動し、
前記充電端子は、前記第２の連結部を支点とする、前記第１の可動片に対する前記第２の可動片の回動動作より、前記第１の連結部を支点とする、前記取付片に対する前記第１の可動片の回動動作が生じやすいように、前記第１の連結部を前記第２の連結部より変形しやすい構造によって形成されたものであることを特徴とする。
【０００９】
また、本発明に係るクリーニング方法は、
貫通孔を底部に有する凹部と、前記底部より下側に位置し、角部を有する本体ストッパ凹部と、取付部と、が設けられた装置本体の前記凹部内に、接続端子を持つ機器が挿入され、
前記装置本体の前記取付部に少なくとも一端部が固定された取付片と、前記取付片の他端部に一端部が結合された第１の連結部と、前記第１の連結部の他端部に一端部が結合された第１の可動片と、前記第１の可動片の他端部に一端部が結合された第２の連結部と、
前記第２の連結部の他端部に一端部が結合された第２の可動片と、前記第２の可動片の他端部に一端部が結合されたストッパ片と、を含む充電端子と、を備え、
前記ストッパ片と前記第２の可動片との間でなす角が鋭角となるように、前記第２の可動片の他端部と前記ストッパ片の一端部とが結合されている部位である接触端部は、前記貫通孔を介して前記凹部内に突出するように設けられ、前記ストッパ片の他端部は前記本体ストッパ凹部内に突出するように設けられている前記充電端子の前記接触端部が前記機器の前記接続端子に接触することによって、前記第１の連結部を起点として少なくとも前記第２の可動片及び前記ストッパ片が押し下げられて、前記ストッパ片の他端部が前記本体ストッパ凹部の前記角部に当接するまで前記接触端部が前記接続端子を一方の方向に摺動し、
前記角部に当接後、前記第２の連結部を起点として少なくとも前記第２の可動片及び前記ストッパ片が押し下げられ、前記接触端部が前記接続端子を前記一方の方向と反対側の他方の方向に摺動し、
前記充電端子は、前記第２の連結部を支点とする、前記第１の可動片に対する前記第２の可動片の回動動作より、前記第１の連結部を支点とする、前記取付片に対する前記第１の可動片の回動動作が生じやすいように、前記第１の連結部を前記第２の連結部より変形しやすい構造によって形成されたものであることを特徴とする。
【発明の効果】
【００１０】
本発明に係る充電装置及びクリーニング方法は、部品点数を削減した簡易な構成及び簡易な動作機構を有する充電端子を備えることにより、製造コストを削減しつつ、充電端子の動作不具合の発生を抑制して、良好な充電動作を実現することができる。
【図面の簡単な説明】
【００１１】
【図１】本発明に係る充電装置を含む電子機器システムの全体構成を示す概略斜視図である
【図２】本発明に係る充電装置の第１の実施形態を示す概略断面図である。
【図３】実施形態に係る充電装置に適用される充電端子の構成例を示す概略図である。
【図４】本実施形態に係る充電装置における充電端子の動作を説明するための概念図である。
【図５】本実施形態に係る充電装置に携帯端末を装着する際の各状態を示す要部断面図である。
【図６】本実施形態に係る充電装置における充電接点となる端子のクリーニング方法を説明するための概念図である。
【図７】本発明に係る充電装置の第２の実施形態を示す概略断面図である。
【図８】本発明の第３の実施形態に係る充電装置に適用される充電端子の構成例を示す概略断面図である。
【図９】本実施形態に係る充電端子を適用した充電装置におけるクリーニング動作の一例を示す概略図である。
【図１０】本発明の第４の実施形態に係る充電装置に適用される充電端子の構成例を示す概略図である。
【発明を実施するための形態】
【００１２】
以下、本発明に係る充電装置及びクリーニング方法について、実施形態を示して詳しく説明する。ここでは、可搬型の電子機器として、携帯電話機等の携帯端末を適用した場合について説明する。
【００１３】
＜第１の実施形態＞
（充電装置）
まず、本発明に係る充電装置について説明する。
図１は、本発明に係る充電装置を含む電子機器システムの全体構成を示す概略斜視図である。ここで、図１（ａ）は充電装置への携帯端末の装着方法を示す斜視図であり、図１（ｂ）は携帯端末を充電装置に装着した状態を示す斜視図である。図２は、本発明に係る充電装置の第１の実施形態を示す概略断面図である。図２の充電端子１５は、図３（ｂ）の充電端子１５の断面図である。ここで、図２（ａ）は、図１（ａ）に示したIIＡ−IIＡ線（本願明細書においては図１中に示したローマ数字の「２」に対応する記号として便宜的に「II」を用いる。以下同じ。）に沿った充電装置の断面を示す図であり、図２（ｂ）は、図１（ｂ）に示したIIＢ−IIＢ線に沿った、携帯端末が装着された充電装置の断面を示す図である。図２（ｃ）は、図２（ａ）に示したIIＣ部を拡大した要部断面図である。図３は、本実施形態に係る充電装置に適用される充電端子の構成例を示す概略図である。
【００１４】
本実施形態に係る充電装置を含む電子機器システムは、例えば図１に示すように、携帯電話機等の可搬型の携帯端末（電子機器）２０と、携帯端末２０が装着される充電装置１０と、を有している。携帯端末（電子機器）２０としては、二次電池を内蔵した充電式の端末であれば、デジタルカメラ、デジタルビデオカメラ、ＰＤＡ、音楽プレイヤー、ボイスレコーダー、シェーバー等でも良い。
【００１５】
充電装置１０は、図１（ａ）、（ｂ）に示すように、絶縁性の樹脂材料等からなる本体１１の上部に、携帯端末２０を装着するための凹部１２を有している。そして、この凹部１２に携帯端末２０の下部を挿入することにより、携帯端末２０が充電装置１０に装着される。
【００１６】
充電装置１０の凹部１２内には、図２（ａ）、（ｂ）に示すように、凹部１２の底面１２ｂにスリツト状の貫通孔１３が一対設けられている。そして、凹部１２下側の本体１１内には、充電端子１５が各貫通孔１３に対応するように配置されている。ここで、凹部１２内に設けられる貫通孔１３、及び、貫通孔１３を介して凹部１２内に突出する充電端子１５は、後述する携帯端末２０の充電用の接続端子２４の位置と整合するように配置されている。充電装置１０の本体１１内には、充電端子１５の一端側を支持固定する取付部１４と、充電端子１５の他端側が移動又はスライドする本体ストッパ凹部１６が設けられている。本体ストッパ凹部１６は、図２（ｃ）に示すように、少なくとも、充電端子１５の他端側を係止する係止部１６ａと、充電端子１５の他端側の移動又はスライドを制止する停止辺（角部）１６ｂとを有し、凹部１２下側の本体１１内の、例えば携帯端末２０の装着方向（図面上下方向）に延在する内壁面に、垂直方向（図面上下方向）及び水平方向（図面左右方向）に設けられた壁面の組み合わせからなる矩形溝を形成することにより構成される。ここで、本体ストッパ凹部１６の係止部１６ａは、上記貫通孔１３が形成される凹部１２の底面１２ｂの一部と、本体ストッパ凹部１６を構成する矩形溝の図中上方の壁面により形成される。また、停止辺１６ｂは、本体ストッパ凹部１６を構成する矩形溝の図中右方の壁面１６ｃと図中下方の壁面１６ｄにより形成される直角の頂点（又は、角部）により構成される。
【００１７】
充電端子１５は、具体的には、例えば図３（ａ）に示すように、ピアノ線等の、バネ性を有する線材を曲げ加工して形成され、取付片１５ａと、第１のコイル部（第１の連結部）Ｐｅと、第１の可動片１５ｂと、第２のコイル部（第２の連結部）Ｐｆと、第２の可動片１５ｃと、接触端部Ｐｃと、ストッパ片１５ｄと、ストッパ端部Ｐｄと、を有している。
【００１８】
取付片１５ａは、充電端子１５の一端側（図面左方側）に設けられ、図２（ａ）に示すように、本体１１内に設けられた取付部１４に取り付け固定される。第１の可動片１５ｂは、取付片１５ａに対して所定の角度の鈍角を有して図面右上方向に延伸するように設けられている。第２の可動片１５ｃは、第１の可動片１５ｂに対して所定の角度を有して図面上方に延伸し、図２（ａ）、（ｃ）に示すように貫通孔１３を介して凹部１２内に、第２の可動片１５ｃの他方側（図面上方側）の端部である接触端部Ｐｃが突出するように設けられている。ストッパ片１５ｄは、第２の可動片１５ｃに対して所定の角度の鋭角を有して図面右下方向に延伸するように設けられている。つまり、ストッパ片１５ｄと第２の可動片１５ｃとの間でなす角が鋭角となるように、第２の可動片１５ｃの他端部とストッパ片１５ｄの一端部とが結合されている部位が接触端部Ｐｃである。
【００１９】
第１のコイル部Ｐｅは、取付片１５ａと第１の可動片１５ｂとの接続点に設けられ、所定の直径及び巻数を有するコイルバネにより構成されている。また、第２のコイル部Ｐｆは、第１の可動片１５ｂと第２の可動片１５ｃとの接続点に設けられ、所定の直径及び巻数を有するコイルバネにより構成されている。ここで、第１のコイル部Ｐｅのコイルバネは、第２のコイル部Ｐｆのコイルバネに比較して、変形しやすいように構成されている。具体的には、第１のコイル部Ｐｅのコイルバネは、第２のコイル部Ｐｆのコイルバネに比較して、巻数が少ない、又は、直径が大きい、あるいは、巻数が少なくかつ直径が大きくなるように構成されている。すなわち、第２のコイル部Ｐｆを支点とする、第１の可動片１５ｂに対する第２の可動片１５ｃの回動動作（又は変形）に比較して、第１のコイル部Ｐｅを支点とする、取付片１５ａに対する第１の可動片１５ｂの回動動作（又は変形）の方が、生じやすくなるように各回動支点である第１のコイル部Ｐｅ、第２のコイル部Ｐｆのコイルバネが設計されている。
【００２０】
接触端部Ｐｃは、線材を所定の鋭角で曲げ加工して、第２の可動片１５ｃとストッパ片１５ｄを形成する際に生じる頂点部分であって、図２（ａ）、（ｃ）に示すように、充電装置１０に携帯端末２０が装着されていない状態（すなわち、充電端子１５に押圧力が印加されていない初期状態）で、貫通孔１３を介して凹部１２内に突出するように構成されている。ストッパ端部Ｐｄは、充電端子１５の他端側（図面右方側）の端部に設けられ、充電装置１０への携帯端末２０の装着動作に伴って（すなわち、充電端子１５に押圧力が印加されることにより）、本体１１内に設けられた本体ストッパ凹部１６内を移動又はスライドし、図２（ｂ）に示すように、充電装置１０に携帯端末２０が装着された状態（すなわち、充電端子１５の下部が凹部１２の底面１２ｂに到達した状態）で、本体１１内に設けられた本体ストッパ凹部１６の停止辺１６ｂに当接して、ストッパ片１５ｄの回動支点として機能するように構成されている。
【００２１】
また、充電端子１５の他の構成例は、例えば図３（ｂ）に示すように、バネ性を有する板材（板バネ）を曲げ加工して形成され、図３（ａ）の充電端子１５と同様に、取付片１５ａと、第１の連結片（第１の連結部）Ｐａと、第１の可動片１５ｂと、第２の連結片（第２の連結部）Ｐｂと、第２の可動片１５ｃと、接触端部Ｐｃと、ストッパ片１５ｄと、ストッパ端部Ｐｄと、を有している。ここで、取付片１５ａと、第１の可動片１５ｂと、第２の可動片１５ｃと、ストッパ片１５ｄは、同一幅の板材により構成されている。
【００２２】
第１の連結片Ｐａは、取付片１５ａと第１の可動片１５ｂとの接続点に設けられ、取付片１５ａ及び第１の可動片１５ｂよりも板材（板バネ）の幅が狭くなるように構成されている。また、第２の連結片Ｐｂは、第１の可動片１５ｂと第２の可動片１５ｃとの接続点に設けられ、第１の可動片１５ｂと第２の可動片１５ｃよりも板材（板バネ）の幅が狭くなるように構成されている。ここで、図３（ａ）の充電端子１５と同様に、第１の連結片Ｐａは、第２の連結片Ｐｂに比較して、変形しやすいように構成されている。具体的には、第１の連結片Ｐａの板材の幅は、第２の連結片Ｐｂの板材の幅に比較して、狭くなるように構成されている。すなわち、第２の連結片Ｐｂを支点とする、第１の可動片１５ｂに対する第２の可動片１５ｃの回動動作（又は変形）に比較して、第１の連結片Ｐａを支点とする、取付片１５ａに対する第１の可動片１５ｂの回動動作（又は変形）の方が、生じやすくなるように各回動支点である第１の連結片Ｐａ、第２の連結片Ｐｂの板バネが設計されている。
【００２３】
接触端部Ｐｃは、板材を所定の鋭角で曲げ加工して、第２の可動片１５ｃとストッパ片１５ｄを形成する際に生じる頂辺部分であって、図２（ａ）、（ｃ）に示すように、充電装置１０に携帯端末２０が装着されていない状態（充電端子１５の初期状態）で、貫通孔１３を介して凹部１２内に突出するように構成されている。ストッパ端部Ｐｄは、充電端子１５の他端側（図面右方側）の端部に設けられ、図２（ｂ）に示すように、充電装置１０に携帯端末２０が装着された状態で、本体１１内に設けられた本体ストッパ凹部１６の停止辺１６ｂに当接して、ストッパ片１５ｄの回動支点として機能するように構成されている。
【００２４】
なお、本実施形態に示したように、充電端子１５において、第２のコイル部Ｐｆ又は第２の連結片Ｐｂを支点とする、第１の可動片１５ｂに対する第２の可動片１５ｃの回動動作（又は変形）に比較して、第１のコイル部Ｐｅ又は第１の連結片Ｐａを支点とする、取付片１５ａに対する第１の可動片１５ｂの回動動作（又は変形）の方が、生じやすくなるように各回動支点である第１のコイル部Ｐｅ、第２のコイル部Ｐｆ、又は、第１の連結片Ｐａ、第２の連結片Ｐｂを設計する手法としては、上述した構成に限定されるものではない。すなわち、各回動支点である第１のコイル部Ｐｅ、第２のコイル部Ｐｆ、又は、第１の連結片Ｐａ、第２の連結片Ｐｂを所定の直径や巻数を有するコイルバネを用いた構成や、幅狭部を有する板バネを用いた構成のほか、線材や板材からなるバネ材の線径や板厚を変えることにより、任意のバネ性を実現するものであってもよい。
【００２５】
なお、図示を省略したが、充電装置１０の本体１１内部には、家庭用のコンセントに供給される商用電源を、携帯端末２０に内蔵された二次電池を充電するための適切な電圧に変換して、上記充電端子１５を介して、携帯端末２０に供給するための充電回路が設けられている。また、充電装置１０には上記家庭用コンセントに接続するためのプラグ及び電源コードが設けられている。
【００２６】
携帯端末２０は、例えば図１に示すように、方形板状の裏側本体２２の一辺側（図面上部）に、方形板状の表側本体２１の一辺側がヒンジ部２３を介して回動可能に取り付けられた構成を有している。裏側本体２２の下部には、図１に示すように、ストライプ状の接続端子２４が埋め込まれるように一対設けられている。この一対の接続端子２４は、図１、図２（ｂ）に示すように、充電装置１０の凹部１２内に設けられる貫通孔１３、及び、貫通孔１３を介して凹部１２内に突出する充電端子１５の位置と整合するように配置されている。
【００２７】
（クリーニング方法）
次に、本実施形態に係る充電装置に携帯端末を装着して充電動作を行う際の、充電接点となる端子のクリーニング方法について説明する。ここで、本発明において、端子のクリーニングとは、携帯端末（電子機器）２０を充電装置１０に装着して充電動作を行う電子機器システムにおける通常の装着動作以外に、特別なクリーニング動作を必要とせずに、携帯端末２０の装着動作のみにより、携帯端末２０の充電用の接続端子２４の表面、及び、充電装置１０の充電端子１５の表面の汚れや酸化被膜を除去して、接続不良を防止する、いわゆるセルフクリーニング機能のことである。
【００２８】
図４は、本実施形態に係る充電装置における充電端子の動作を説明するための概念図であり、図５は、本実施形態に係る充電装置に携帯端末を装着する際の各状態を示す要部断面図である。図４及び図５の充電端子１５は、図３（ｂ）の充電端子１５の断面図である。図５（ａ）は、充電装置に携帯端末を装着する前の状態、又は、装着された携帯端末の接続端子により充電端子が押し込まれていない状態（すなわち、充電端子が変形していない初期状態）を示す要部断面図であり、図５（ｂ）は、充電装置に装着された携帯端末の接続端子により充電端子が押し込まれた途中状態（第１の押圧状態）を示す要部断面図であり、図５（ｃ）は、充電装置に装着された携帯端末の接続端子により充電端子が押し込まれた最終状態（第２の押圧状態）を示す要部断面図である。図６は、本実施形態に係る充電装置における充電接点となる端子のクリーニング方法を説明するための概念図である。
【００２９】
まず、図５（ａ）に示すように、充電装置１０の凹部１２に携帯端末２０の下部を装着する前の状態、もしくは、装着された携帯端末２０の接続端子２４が、凹部１２内の充電端子１５に接触していない状態においては、上述したようにバネ性を有する素材により形成された充電端子１５の自己復帰力により、少なくとも、第１の可動片１５ｂが第１の連結片Ｐａを支点として、取付片１５ａに対して図面反時計回りに回動するように付勢され、また、第２の可動片１５ｃから接触端部Ｐｃを介して延在するストッパ片１５ｄが、貫通孔１３の図面右方の係止部１６ａに当接して係止された状態（充電端子１５の初期状態）となる。
【００３０】
そして、この状態においては、図５（ａ）に示すように、充電端子１５の接触端部Ｐｃとその周辺の第２の可動片１５ｃ及びストッパ片１５ｄは、貫通孔１３を介して凹部１２内に突出している。また、充電端子１５のストッパ端部Ｐｄは、本体ストッパ凹部１６内に突出し、例えば、いずれの面や角部にも接触していない。
【００３１】
次いで、携帯端末２０の下部を充電装置１０の凹部１２内に挿入し、携帯端末２０の充電用の接続端子２４の表面（図面下面）を、充電装置１０の充電端子１５の接触端部Ｐｃに当接させる。この状態においては、充電装置１０の充電端子１５が携帯端末２０の接続端子２４に当接するのみで、未だ押し込み力が印加されていない状態であるので、図４に示すように、充電端子１５の接触端部Ｐｃが携帯端末２０の接続端子２４の図面左方側に接触しただけの状態となる。
【００３２】
次いで、携帯端末２０の下部を充電装置１０の凹部１２内にさらに挿入すると、下降する携帯端末２０の接続端子２４の下面によって充電端子１５の接触端部Ｐｃが押し下げられる。
【００３３】
この場合、充電端子１５は、第１の連結片Ｐａが第２の連結片Ｐｂに比較して、変形しやすいように構成されているので、第１の可動片１５ｂが第１の連結片Ｐａを支点にして、取付片１５ａに対して図面時計回り（第１の方向）に回動するが、第２の連結片Ｐｂはほとんど変形しない。この動作は、携帯端末２０の下部が充電装置１０の凹部１２内に挿入されることにより、充電端子１５の接触端部Ｐｃが押し下げられ、ストッパ端部Ｐｄが本体ストッパ凹部１６内を図面右下方向に移動又はスライドして、本体ストッパ凹部１６内の停止辺１６ｂに到達するまで継続される。
【００３４】
この結果、図４に示すように、第１の可動片１５ｂが実線で示す初期位置から回動して一点鎖線で示す位置に至り、また、第２の可動片１５ｃが実線で示す初期位置から、第１の可動片１５ｂに対する角度をほとんど変化させることなく回動して、一点鎖線で示す位置に至る。これにより、充電端子１５の接触端部Ｐｃは、第１の可動片１５ｂの回動に伴って、携帯端末２０の接続端子２４の下面に沿って、図面右方向に距離Ｄ１だけ摺動する。つまり、凹部１２内に、接続端子２４を持つ携帯端末２０が挿入されて、充電端子１５の接触端部Ｐｃが携帯端末２０の接続端子２４に接触することによって、第１の連結片Ｐａを起点として少なくとも第２の可動片１５ｃ及びストッパ片１５ｄが押し下げられて、ストッパ片１５ｄの他端部（ストッパ端部Ｐｄ）が本体ストッパ凹部１６の停止辺（角部）１６ｂに当接するまで接触端部Ｐｃが充電端子（接続端子）１５を一方の方向に摺動する。
【００３５】
次いで、携帯端末２０の下部を充電装置１０の凹部１２内にさらに挿入すると、下降する携帯端末２０の接続端子２４の下面によって充電端子１５の接触端部Ｐｃがさらに押し下げられる。
【００３６】
この場合、充電端子１５は、第１の連結片Ｐａが第２の連結片Ｐｂに比較して、変形しやすいように構成されているが、ストッパ端部Ｐｄが本体ストッパ凹部１６の停止辺１６ｂに当接して位置が固定されるので、ストッパ片１５ｄが当該ストッパ端部Ｐｄ（又は停止辺１６ｂ）を支点にして、図面反時計回り（第２の方向）に回動するとともに、当該ストッパ片１５ｄの回動に伴って、第２の可動片１５ｃが第２の連結片Ｐｂを支点にして、第１の可動片１５ｂに対して図面反時計回りに回動する。このとき、第１の可動片１５ｂは第１の連結片Ｐａを支点にして、取付片１５ａに対して図面時計回りにわずかに回動する。この動作は、携帯端末２０の下部が充電装置１０の凹部１２内にさらに挿入され、充電装置１０の凹部１２内の底面１２ｂに到達するまで継続される。
【００３７】
この結果、図４、図５（ｃ）に示すように、第１の可動片１５ｂが一点鎖線で示す位置から取付片１５ａに対する角度をほとんど変化させることなく二点鎖線で示す位置に至り、また、第２の可動片１５ｃが一点鎖線で示す位置から回動して二点鎖線で示す位置に至る。これにより、充電端子１５の接触端部Ｐｃは、ストッパ片１５ｄの回動に伴って、携帯端末２０の接続端子２４の下面に沿って、図面左方向に距離Ｄ２だけ摺動する。つまり、停止辺（角部）１６ｂに当接後、第２の連結片（第２の連結部）Ｐｂを起点として少なくとも第２の可動片１５ｃ及びストッパ片１５ｄが押し下げられ、接触端部Ｐｃが充電端子（接続端子）１５を一方の方向と反対側の他方の方向に摺動する。
【００３８】
上述したように、本実施形態に係る充電装置１０においては、凹部１２内に携帯端末２０の下部が装着されると、図４に示すように、携帯端末２０の接続端子２４によって押し下げられる充電端子１５の接触端部Ｐｃが、携帯端末２０の接続端子２４の下面を図面右方向に往路の距離Ｄ１だけ摺動した後、その反対方向の図面左方向に復路の距離Ｄ２だけ摺動する。この接触端部Ｐｃの往復動作により、携帯端末２０の接続端子２４表面、及び、充電端子１５の接触端部Ｐｃ表面の汚れや酸化被膜を除去する端子のセルフクリーニングが実行される。
【００３９】
特に、本実施形態に係るクリーニング方法においては、図４、図６に示すように、充電端子１５の接触端部Ｐｃが携帯端末２０の接続端子２４の下面に沿って往復動する際の移動距離が、往路の距離Ｄ１に対して復路の距離Ｄ２の方が短く（Ｄ１＞Ｄ２）なるように設定されている。これにより、図６（ａ）に示すように、接触端部Ｐｃと接続端子２４との間にゴミや異物が介在していたり、接触端部Ｐｃや接続端子２４の表面に酸化被膜等の絶縁性の被膜３０が形成されている場合であっても、接触端部Ｐｃを往復動作させるという簡易な動作機構により、図６（ｂ）、（ｃ）に示すように、ゴミや異物、被膜３０が除去されて、接触端部Ｐｃを携帯端末２０の接続端子２４の表面の既にクリーニングされたきれいな部分２４ｓに接触させることができる。したがって、接触端部Ｐｃと接続端子２４間に異物や被膜３０が介在している場合に比較して、接触抵抗を低くすることができ、充電端子１５と接続端子２４間の接触不良の発生を防止して、携帯端末２０の充電を良好に行うことができる。
【００４０】
また、本実施形態に係る充電装置１０においては、バネ性を有する導電性部材からなり、初期状態の形状に戻ろうとする方向に常に力（自己復帰力）が働く、自己復帰型のバネ材からなる充電端子１５を備えていれば、上記のクリーニング動作を良好に実現することができるので、充電装置１０の部品点数を大幅に削減することができる。また、上述したクリーニング動作において必須となる、充電端子１５の取付片１５ａや、ストッパ端部Ｐｄが当接する停止辺１６ｂを備えた本体ストッパ凹部１６を、樹脂材料等からなる本体１１に一体的に形成することができるので、充電装置１０全体として、構造を簡単にすることができる。
【００４１】
＜第２の実施形態＞
次に、本発明に係る充電装置の第２の実施形態（本体１１の他の構成例）について図面を参照して説明する。
上述した第１の実施形態においては、充電装置１０の本体１１に設けられた本体ストッパ凹部１６が、図２（ｃ）に示したように、垂直方向（図面上下方向）及び水平方向（図面左右方向）に設けられた壁面の組み合わせにより構成され、停止辺１６ｂにおける壁面相互の角度が直角になるように構成されている場合について示した。第２の実施形態においては、本体ストッパ凹部１６を構成する壁面が垂直方向（図面上下方向）及び水平方向（図面左右方向）に対して所定の角度を有し、停止辺１６ｂにおける壁面相互の角度が鋭角（９０°未満）になるように構成されている。
【００４２】
図７は、本発明に係る充電装置の第２の実施形態を示す概略断面図である。ここで、図７（ａ）は、本実施形態に係る充電装置１０に携帯端末２０が装着されていない状態（初期状態）を示す断面図であり、図７（ｂ）は、本実施形態に係る充電装置１０に携帯端末２０が装着された状態（充電端子１５の下部が凹部１２の底面１２ｂに到達した状態）を示す断面図である。図７（ｃ）は、図７（ａ）に示したVIIＣ部（本願明細書においては図７中に示したローマ数字の「７」に対応する記号として便宜的に「VII」を用いる。以下同じ。）を拡大した要部断面図であって、本実施形態に係る充電装置に適用される本体ストッパ凹部を説明するための図である。なお、上述した実施形態と同等の構成については、同一の符号を付してその説明を簡略化する。図７の充電端子１５は、図３（ｂ）の充電端子１５の断面図である。
【００４３】
本実施形態に係る充電装置１０は、例えば図７（ｃ）に示すように、本体１１に設けられる本体ストッパ凹部１６の断面形状において、少なくとも停止辺１６ｂを構成する図中右方の壁面１６ｃと図中下方の壁面１６ｄが、図面垂直方向（上下方向）又は水平方向（左右方向）に対して０°又は９０°以外の所定の角度を有して傾斜するように形成されている。加えて、当該壁面１６ｃ、１６ｄが停止辺１６ｂを頂点として形成する角度が鋭角（９０°未満）になるように形成されている。
【００４４】
これによれば、例えば図７（ａ）、（ｂ）に示すように、充電端子１５によるクリーニング動作時に本体ストッパ凹部１６内を移動又はスライドするストッパ端部Ｐｄが、停止辺１６ｂを頂点とする２つの傾斜する壁面１６ｃ、１６ｄに沿って移動又はスライドして、最終的にその頂点である停止辺１６ｂに確実に到達する。したがって、上述した充電端子１５によるクリーニング動作（具体的には、図６に示した充電端子１５の接触端部Ｐｃの往復動作）が確実に実行されて、充電端子１５と接続端子２４を接触抵抗が低い状態で接触させることができるので、携帯端末２０の充電を良好に行うことができる。
【００４５】
＜第３の実施形態＞
次に、本発明に係る充電装置の第３の実施形態（充電端子１５の他の構成例）について図面を参照して説明する。
上述した第１の実施形態においては、充電端子１５の構成として各回動支点である第１の連結片Ｐａ、第２の連結片Ｐｂに所定のバネ性を付与した線材又は板材を、上述したクリーニング動作が実行されるように曲げ加工した構成を示した。第３の実施形態においては、自己復帰型のバネ部材からなる充電端子１５に、本体１１からの外れ止めを設けた構成を有している。
【００４６】
図８は、本発明の第３の実施形態に係る充電装置に適用される充電端子の構成例を示す概略断面図である。また、図９は、本実施形態に係る充電端子を適用した充電装置におけるクリーニング動作の一例を示す概略図である。ここで、図９（ａ）は、本実施形態に係る充電装置１０に携帯端末２０が装着されていない状態（初期状態）を示す断面図であり、図９（ｂ）は、本実施形態に係る充電装置１０に携帯端末２０が装着された状態（充電端子１５の下部が凹部１２の底面１２ｂに到達した状態）を示す断面図である。図９（ｃ）は、図９（ａ）に示したIXＣ部（本願明細書においては図９中に示したローマ数字の「９」に対応する記号として便宜的に「IX」を用いる。以下同じ。）を拡大した要部断面図であって、本実施形態に係る充電装置に適用される充電端子を説明するための図である。なお、上述した実施形態と同等の構成については、同一の符号を付してその説明を簡略化する。図９の充電端子１５は、図８（ｂ）の充電端子１５の断面図である。
【００４７】
本実施形態に係る充電装置１０に適用される充電端子１５は、例えば図８（ａ）〜（ｃ）に示すように、充電端子１５のストッパ端部Ｐｄに、図面上方向に突出した外れ止め１５ｅ、１５ｆが設けられた構成を有している。具体的には、図８（ａ）、（ｂ）に示すように、充電端子１５が線材や板材からなる場合には、ストッパ端部Ｐｄの線材や板材を図面上方に折り返して、外れ止め１５ｅとした構成を有している。また、充電端子１５の他の構成としては、図８（ｃ）に示すように、例えばストッパ端部Ｐｄの板材に図面上方に突出するように突部を設けて、外れ止め１５ｆとした構成を有している。
【００４８】
これによれば、図９（ａ）、（ｃ）に示すように、充電端子１５の初期状態において、外れ止め１５ｅが充電装置１０の本体１１の係止部１６ａに係止して、充電端子１５のストッパ端部Ｐｄを含むストッパ片１５ｄが本体ストッパ凹部１６から逸脱して、本体１１から外れる現象を防止することができる。また、本実施形態に係る充電端子１５によるクリーニング動作時においては、上述した第１の実施形態と同様に、図９（ａ）、（ｂ）に示すように、携帯端末２０の下部が充電装置１０の凹部１２に装着されることにより、本体ストッパ凹部１６内を移動又はスライドする充電端子１５のストッパ端部Ｐｄ及び外れ止め１５ｅが停止辺１６ｂに到達する。したがって、上述した充電端子１５によるクリーニング動作（具体的には、図６に示した充電端子１５の接触端部Ｐｃの往復動作）が実行されて、充電端子１５と接続端子２４を接触抵抗が低い状態で接触させることができるので、携帯端末２０の充電を良好に行うことができる。
【００４９】
＜第４の実施形態＞
次に、本発明に係る充電装置の第４の実施形態（充電端子１５のさらに他の構成例）について図面を参照して説明する。
上述した第１の実施形態においては、充電端子１５の構成として取付片１５ａと第１の可動片１５ｂ間、及び、各可動片１５ｂ、１５ｃ間に、コイルバネや幅狭部等の加工を施すことにより所定のバネ性を有する第１のコイル部Ｐｅ及び第２のコイル部Ｐｆ、又は、第１の連結片Ｐａ及び第２の連結片Ｐｂを備えた構成を示した。第４の実施形態においては、充電端子１５がバネ性を有する線材や板材の外形を加工することなく、均一の線径や幅を有する部材に曲げ加工のみを施した構成、もしくは、当該曲げ加工に加え、第１の回動支点Ｐｇ、第２の回動支点Ｐｈ、又は、その近傍を含む部分に熱処理を行い、所定のバネ性を付与した構成を有している。
【００５０】
図１０は、本発明の第４の実施形態に係る充電装置に適用される充電端子の構成例を示す概略図である。ここで、上述した実施形態と同等の構成については、同一の符号を付してその説明を簡略化する。
【００５１】
本実施形態に係る充電装置１０に適用される充電端子１５は、例えば図１０（ａ）に示すように、所定のバネ性を有し、均一の線径や幅を有する線材や板材を、第１の回動支点Ｐｇ、第２の回動支点Ｐｈ及び接触端部Ｐｃに相当する位置で、所定の角度で曲げ加工を施した構成を有している。また、充電端子１５の他の例は、例えば図１０（ｂ）、（ｃ）に示すように、図１０（ａ）に示した充電端子１５において、第１の回動支点Ｐｇ、第２の回動支点Ｐｈ間の第１の可動片１５ｂを、図面上方、あるいは、図面下方側に湾曲するように反り加工を施した構成を有している。ここで、充電端子１５を構成する線材や板材は、その全体が均一なバネ性を有するものであってもよいし、例えば第１の回動支点Ｐｇ、第２の回動支点Ｐｈや第１の可動片１５ｂのみに所定の焼き入れ、焼き鈍しといった熱処理を施して、任意のバネ性を有するように構成したものであってもよい。例えば、焼き入れとして、鋼を７３０℃以上に熱くして急冷し、鋼を硬くする熱処理を行う。また、焼き鈍しとして、鋼を７３０℃以上に熱くしてゆっくり冷やし、鋼を柔らかくする熱処理を行う。焼き鈍しは、加工硬化による内部のひずみを取り除き、組織を軟化させ、展延性を向上させる熱処理である。
【００５２】
或いは、焼き入れは、鋼の硬さを増大させる目的で行われるが、靭性が低下するので、粘り強さを得るために、焼き入れ後に焼き戻しを行っても良い。焼き戻しとして、鋼を７３０℃以下に熱くして急冷する熱処理を行う。焼き戻し温度が低い程鋼は硬くなる。
【００５３】
これによれば、第１の実施形態に示した充電端子１５によるクリーニング動作において、携帯端末２０の装着に伴って接触端部Ｐｃが押し下げられることにより、第１の回動支点Ｐｇを支点にして第１の可動片１５ｂが図面時計回りに回動して、ストッパ端部Ｐｄが充電装置１０の本体ストッパ凹部１６内を移動又はスライドして、停止辺１６ｂに到達する。このとき、第１の可動片１５ｂは、第１の回動支点Ｐｇを支点にして図面時計回りに回動するだけでなく、第１の可動片１５ｂ自体が湾曲するものであってもよい。すなわち、本実施形態においては、第１の回動支点Ｐｇ、もしくは、第１の回動支点Ｐｇ及び第１の可動片１５ｂがバネ性を有して変形することにより、ストッパ端部Ｐｄが移動又はスライドして停止辺１６ｂに到達するものであればよい。これにより、簡易な構造を有する充電端子１５を適用して、上述したクリーニング動作（具体的には、図６に示した充電端子１５の接触端部Ｐｃの往復動作）が実行されて、充電端子１５と接続端子２４を接触抵抗が低い状態で接触させることができるので、携帯端末２０の充電を良好に行うことができる。
【００５４】
なお、上述した実施形態においては、充電装置１０に設けられた凹部１２に、携帯端末２０の下部を挿入することにより充電動作を行う構成を示したが、本発明はこれに限定されるものではない。すなわち、本発明に係る充電装置は、携帯端末を載置する載置面を有し、当該載置面に携帯端末の所定の面（例えば裏面）を対向させて載置、密着させることにより充電動作を行う構成を有するものであってもよい。また、ストッパ片１５ｄのストッパ端部Ｐｄが当接する停止辺１６ｂを、本体ストッパ凹部１６の停止辺１６ｂとしたが、これに限らず、段差部が設けられていてストッパ片１５ｄを停止できる構造であれば凸部であっても良い。
【００５５】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００５６】
（付記）
請求項１に記載の発明は、
貫通孔を底部に有する凹部と、前記底部より下側に位置し、角部を有する本体ストッパ凹部と、取付部と、が設けられた装置本体と、
前記装置本体の前記取付部に少なくとも一端部が固定された取付片と、前記取付片の他端部に一端部が結合された第１の連結部と、前記第１の連結部の他端部に一端部が結合された第１の可動片と、前記第１の可動片の他端部に一端部が結合された第２の連結部と、前記第２の連結部の他端部に一端部が結合された第２の可動片と、前記第２の可動片の他端部に一端部が結合されたストッパ片と、を含む充電端子と、
を備え、
前記ストッパ片と前記第２の可動片との間でなす角が鋭角となるように、前記第２の可動片の他端部と前記ストッパ片の一端部とが結合されている部位である接触端部は、前記貫通孔を介して前記凹部内に突出するように設けられ、前記ストッパ片の他端部は前記本体ストッパ凹部内に突出するように設けられており、
前記凹部内に、接続端子を持つ機器が挿入されて、前記充電端子の前記接触端部が前記機器の前記接続端子に接触することによって、前記第１の連結部を起点として少なくとも前記第２の可動片及び前記ストッパ片が押し下げられて、前記ストッパ片の他端部が前記本体ストッパ凹部の前記角部に当接するまで前記接触端部が前記接続端子を一方の方向に摺動し、
前記角部に当接後、前記第２の連結部を起点として少なくとも前記第２の可動片及び前記ストッパ片が押し下げられ、前記接触端部が前記接続端子を前記一方の方向と反対側の他方の方向に摺動することを特徴とする充電装置である。
【００５７】
請求項２に記載の発明は、
前記装置本体の前記凹部に前記機器が装着されることにより、前記機器の接続端子により前記充電端子の前記接触端部が押し下げられるとともに、前記充電端子の前記第１の連結部が変形して、前記第１の可動片が前記取付片に対して第１の方向に回動し、
前記ストッパ端部が前記装置本体の前記凹部内を移動して、前記角部に当接し、
前記角部を連結部として前記ストッパ片が、前記第１の方向とは逆方向の第２の方向に回動するとともに、前記第２の連結部が変形して、前記第２の可動片が前記第１の可動片に対して前記第２の方向に回動するように構成されていることを特徴とする請求項１記載の充電装置である。
【００５８】
請求項３に記載の発明は、
前記充電端子は、前記装置本体の前記凹部に前記機器が装着されることにより、前記充電端子の前記接触端部が前記機器の前記接続端子の表面を摺動しながら往復動作するように構成されており、前記充電端子の前記接触端部が前記機器の前記接続端子の表面を摺動する距離は、前記往復動作における往路の前記距離が復路の前記距離よりも長くなるように設定されていることを特徴とする請求項２記載の充電装置である。
【００５９】
請求項４に記載の発明は、
前記充電端子は、少なくとも、前記第１の可動片が、前記取付片に対して鈍角を有して延伸し、前記ストッパ片が、前記第２の可動片に対して鋭角を有して延伸するように設けられていることを特徴とする請求項１乃至３のいずれかに記載の充電装置である。
【００６０】
請求項５に記載の発明は、
前記充電端子は、前記第１の連結部及び前記第２の連結部が、コイルバネまたは幅狭部を有する板バネにより構成されているか、或いは、前記充電端子は、均一なバネ性を有する線材又は板材からなり、前記第１の連結部及び前記第２の連結部は、前記線材又は前記板材が所定の角度で曲げ加工して形成されたものであり、前記線材又は前記板材に焼き入れ、焼き鈍し処理が施されていることを特徴とする請求項１乃至４のいずれかに記載の充電装置である。
【００６１】
請求項６に記載の発明は、
前記装置本体に設けられた前記凹部は、少なくとも前記角部となる角部を構成する壁面相互の角度が直角または鋭角に設定されており、
前記充電端子は、前記ストッパ片の延在方向とは異なる方向に突出する外れ止めが、前記ストッパ端部に設けられていることを特徴とする請求項１乃至５のいずれかに記載の充電装置である。
【００６２】
請求項７に記載の発明は、
貫通孔を底部に有する凹部と、前記底部より下側に位置し、角部を有する本体ストッパ凹部と、取付部と、が設けられた装置本体の前記凹部内に、接続端子を持つ機器が挿入され、
前記装置本体の前記取付部に少なくとも一端部が固定された取付片と、前記取付片の他端部に一端部が結合された第１の連結部と、前記第１の連結部の他端部に一端部が結合された第１の可動片と、前記第１の可動片の他端部に一端部が結合された第２の連結部と、前記第２の連結部の他端部に一端部が結合された第２の可動片と、前記第２の可動片の他端部に一端部が結合されたストッパ片と、を含む充電端子と、を備え、
前記ストッパ片と前記第２の可動片との間でなす角が鋭角となるように、前記第２の可動片の他端部と前記ストッパ片の一端部とが結合されている部位である接触端部は、前記貫通孔を介して前記凹部内に突出するように設けられ、前記ストッパ片の他端部は前記本体ストッパ凹部内に突出するように設けられている前記充電端子の前記接触端部が前記機器の前記接続端子に接触することによって、前記第１の連結部を起点として少なくとも前記第２の可動片及び前記ストッパ片が押し下げられて、前記ストッパ片の他端部が前記本体ストッパ凹部の前記角部に当接するまで前記接触端部が前記接続端子を一方の方向に摺動し、
前記角部に当接後、前記第２の連結部を起点として少なくとも前記第２の可動片及び前記ストッパ片が押し下げられ、前記接触端部が前記接続端子を前記一方の方向と反対側の他方の方向に摺動することを特徴とするクリーニング方法である。
【００６３】
請求項８に記載の発明は、
前記装置本体の前記凹部内に前記機器が挿入されることにより、
前記充電端子の前記接触端部が、前記機器の接続端子により押し下げられると共に、前記充電端子の前記第１の連結部が変形して、前記第１の可動片が前記取付片に対して第１の方向に回動し、
前記本体ストッパ凹部内を、前記ストッパ端部が移動して前記角部に当接し、
前記角部を連結部として前記ストッパ片が、前記第１の方向とは逆方向の第２の方向に回動すると共に、前記第２の連結部が変形して、前記第２の可動片が前記第１の可動片に対して前記第２の方向に回動することを特徴とする請求項７記載のクリーニング方法である。
【００６４】
請求項９に記載の発明は、
前記装置本体の前記凹部に前記機器が装着されることにより、前記充電端子の前記接触端部が前記機器の前記接続端子の表面を摺動しながら往復動作し、
前記往復動作における往路の摺動距離が復路の前記摺動距離よりも長くなるように設定されていることを特徴とする請求項８記載のクリーニング方法である。
【符号の説明】
【００６５】
１０    充電装置
１１    本体
１２    凹部
１３    貫通孔
１４    取付部
１５    充電端子
１５ａ  取付片
１５ｂ  第１の可動片
１５ｃ  第２の可動片
１５ｄ  ストッパ片
１５ｅ、１５ｆ  外れ止め
１６    本体ストッパ凹部（段差部）
１６ａ  係止部
１６ｂ  停止辺（角部）
１６ｃ、１６ｄ  壁面
２０    携帯端末（電子機器）
２４    接続端子
Ｐａ    第１の連結片（第１の連結部）
Ｐｂ    第２の連結片（第２の連結部）
Ｐｃ    接触端部
Ｐｄ    ストッパ端部（端部）
Ｐｅ    第１のコイル部（第１の連結部）
Ｐｆ    第２のコイル部（第２の連結部）
Ｐｇ    第１の回動支点（第１の連結部）
Ｐｈ    第２の回動支点（第２の連結部）
【図１】
0005939458.tif 000002
【図２】
0005939458.tif 000003
【図３】
0005939458.tif 000004
【図４】
0005939458.tif 000005
【図５】
0005939458.tif 000006
【図６】
0005939458.tif 000007
【図７】
0005939458.tif 000008
【図８】
0005939458.tif 000009
【図９】
0005939458.tif 000010
【図１０】
0005939458.tif 000011